(57)【要約】  機器に使用される部品の部品情報を格納する部品情報格納部（１０１）と、部品情報に基づき、部品の保守または在庫確保の優先度である優先度指標を算出する指標算出部（１０３）と、優先度指標を用いて、部品の保守または在庫確保の優先度を、部品ごとに比較できる態様で示す部品傾向情報を生成し、出力する出力情報制御部（１０４）とを備える。
2019102555.tif 000002
【特許請求の範囲】
【請求項１】
機器に使用される部品の部品情報を格納する部品情報格納部と、
前記部品情報に基づき、部品の保守または在庫確保の優先度である優先度指標を算出する指標算出部と、
前記優先度指標を用いて、部品の保守または在庫確保の優先度を、部品ごとに比較できる態様で示す部品傾向情報を生成し、出力する出力情報制御部とを備える部品傾向情報制御装置。
【請求項２】
前記部品情報は、基礎情報および保守情報を含み、
前記基礎情報には、機器を構成する部品の部品種別、当該部品の部品金額、当該部品を手配するリードタイムの長さ、および当該部品が故障した場合のダウンタイムによる損失金額が含まれ、
前記保守情報には、当該部品の故障履歴、当該部品の経年数、当該部品の使用回数、および当該部品の状態を計測した値が含まれることを特徴とする請求項１記載の部品傾向情報制御装置。
【請求項３】
前記出力情報制御部は、１つの前記部品情報について部品毎に前記優先度指標を算出し、１つの前記優先度指標を用いて前記部品傾向情報を生成することを特徴とする請求項１記載の部品傾向情報制御装置。
【請求項４】
前記出力情報制御部は、１つの前記優先度指標を横軸とする優先度指標グラフを生成し、前記横軸を対数表示とすることを特徴とする請求項３記載の部品傾向情報制御装置。
【請求項５】
前記出力情報制御部は、２つの前記部品情報について部品毎に前記優先度指標を算出し、２つの前記優先度指標を用いて前記部品傾向情報を生成することを特徴とする請求項１記載の部品傾向情報制御装置。
【請求項６】
前記出力情報制御部は、一方の前記優先度指標を横軸とし、他方の前記優先度指標を縦軸とする優先度指標グラフを生成し、前記横軸および前記縦軸を対数表示とすることを特徴とする請求項５記載の部品傾向情報制御装置。
【請求項７】
前記指標算出部は、号機間で共通する部品がある場合、当該部品の特定の部品情報の値について平均値を算出するとともに、前記平均値を用いて第１の優先度指標を算出し、
前記出力情報制御部は、前記第１の優先度指標を用いて前記部品傾向情報を生成することを特徴とする請求項１記載の部品傾向情報制御装置。
【請求項８】
前記出力情報制御部は、前記第１の優先度指標を用いて優先度指標グラフを生成し、前記第１の優先度指標の大小を示す軸を対数表示とすることを特徴とする請求項７記載の部品傾向情報制御装置。
【請求項９】
前記指標算出部は、前記特定の部品情報の値のそれぞれを用いて第２の優先度指標を算出し、
前記出力情報制御部は、前記第２の優先度指標と、前記平均値を用いて算出した前記第１の優先度指標とを重畳表示することを特徴とする請求項７記載の部品傾向情報制御装置。
【請求項１０】
前記出力情報制御部は、前記第１の優先度指標を実線で表示するとともに、前記第２の優先度指標を点で表示する優先度指標グラフを生成し、前記第１の優先度指標の大小を示す軸および前記第２の優先度指標の大小を示す軸をそれぞれ対数表示とすることを特徴とする請求項９記載の部品傾向情報制御装置。
【請求項１１】
指標算出部が、部品情報格納部に格納されている、機器に使用される部品の部品情報に基づき、部品の保守または在庫確保の優先度である優先度指標を算出するステップと、
出力情報制御部が、前記優先度指標を用いて、部品の保守または在庫確保の優先度を、部品毎に比較できる態様で示す部品傾向情報を生成し、出力するステップとを備える部品傾向情報制御方法。
【請求項１２】
保守端末の表示部に表示される情報を制御する保守端末の表示制御装置であって、
機器に使用される部品の部品情報を、請求項１から請求項１０のうちのいずれか１項記載の部品傾向情報制御装置に送信する通信部と、
前記通信部を介して、前記部品傾向情報制御装置から受信した部品傾向情報を前記表示部に表示する表示制御部とを備える保守端末の表示制御装置。
【発明の詳細な説明】
【技術分野】
【０００１】
この発明は、部品傾向情報制御装置、部品傾向情報制御方法、および保守端末の表示制御装置に関するものである。
【背景技術】
【０００２】
製造装置、昇降機、空調機、発電プラント装置等の機器は保守を要する。そのため、機器を構成する部品の情報、保守を要する時期の情報等を提供することは有用である。【０００３】
例えば、特許文献１には、産業機械の保守部品在庫計画において、保守部品の欠品や過剰がない妥当性のある保守部品在庫計画を立てることを目的として構成された保守部品在庫計画システムが開示されている。特許文献１に開示されている保守部品在庫計画システムは、部品故障確率情報、故障リスク情報、運営基準情報を画面に表示する。部品故障確率情報には、部品の故障確率が含まれる。故障リスク情報には、関係故障リスクの切迫度の順位が含まれる。運営基準情報には、部品交換時からどれだけ前に部品在庫引当をしなければいけないかを示す固定期間日数が含まれる。
【先行技術文献】
【特許文献】
【０００４】
【特許文献１】国際公開第２０１３／１８６８７４号公報
【発明の概要】
【発明が解決しようとする課題】
【０００５】
特許文献１に開示された保守部品在庫計画システムは、上記のとおり、部品故障確率情報、故障リスク情報、運営基準情報を画面に表示するものであるが、部品の保守または在庫確保の優先度を各部品の部品情報に基づいて算出し、当該優先度を部品ごとに比較できる態様で表示するものではない。よって、部品の保守または在庫確保の優先度を、部品ごとに比較することができず、優先度に応じた適切な措置を取ることができないという課題があった。【０００６】
この発明は、上記のような課題を解決するためになされたもので、部品の保守または在庫確保の優先度を部品情報に基づいて算出し、当該優先度を部品ごとに比較できる態様で表示することを目的とする。
【課題を解決するための手段】
【０００７】
この発明に係る部品傾向情報制御装置は、機器に使用される部品の部品情報を格納する部品情報格納部と、部品情報に基づき、部品の保守または在庫確保の優先度である優先度指標を算出する指標算出部と、優先度指標を用いて、部品の保守または在庫確保の優先度を、部品ごとに比較できる態様で示す部品傾向情報を生成し、出力する出力情報制御部とを備える。
【発明の効果】
【０００８】
この発明によれば、部品の保守または在庫確保の優先度を部品ごとに比較し、適切な処置を取ることができる。
【図面の簡単な説明】
【０００９】
【図１】実施の形態１に係る部品傾向情報制御装置の構成の一例を示す図である。
【図２】部品情報の構成例を示す図である。
【図３】整形データの一例を示す図である。
【図４】優先度指標を算出するフローチャートの一例である。
【図５】優先度指標を示す表の一例を示す図である。
【図６】優先度指標グラフの一例を示す図である。
【図７】優先度指標グラフの一例を示す図である。
【図８】優先度指標グラフの一例を示す図である。
【図９】優先度指標グラフの一例を示す図である。
【図１０】部品傾向情報制御装置のハードウェア構成例を示す図である。
【図１１】実施の形態５に係る保守端末の表示制御装置およびその周辺の構成の一例を示す図である。
【発明を実施するための形態】
【００１０】
以下、この発明をより詳細に説明するために、この発明を実施するための形態について、添付の図面に従って説明する。
【００１１】
実施の形態１．
実施の形態１では、部品傾向情報を生成して、出力する部品傾向情報制御装置、および部品傾向情報制御方法について説明する。部品傾向情報とは、部品に対する措置の優先度を部品ごとに比較できる態様で示す情報である。部品に対する措置とは、部品の保守または在庫確保である。
【００１２】
図１は、実施の形態１に係る部品傾向情報制御装置１００の構成の一例を示す図である。
部品傾向情報制御装置１００は、部品情報格納部１０１、データ入力部１０２、指標算出部１０３、出力情報制御部１０４、および通信部１０５等を備える。部品傾向情報制御装置１００は、管理部門に設置された管理サーバ１０６、保守現場に設置された保守端末１０７、および、監視センターに設置された監視サーバ１０８と、ネットワークを介して通信可能に接続されている。
【００１３】
部品情報格納部１０１は、管理サーバ１０６等から取得した部品に関する基礎情報、保守端末１０７、監視サーバ１０８等から取得した保守情報等を、部品情報として格納する。すなわち、部品情報には、基礎情報、保守情報が含まれる。
部品情報は、製造装置、昇降機、空調機、発電プラント装置等の保守を要する機器の部品についての情報である。基礎情報は、具体的には、部品種別、部品金額、部品を手配するリードタイムの長さ、部品が故障した場合のダウンタイムによる損失金額等である。保守情報は、具体的には、当該部品の故障履歴、経年数、使用回数、部品の状態を計測した値等である。
【００１４】
図２は、部品情報格納部１０１に格納される部品情報の構成例を示した図である。部品情報格納部１０１に格納可能であれば、部品情報のデータの形式は問わない。また、部品情報格納部１０１には、図２に示す部品情報以外の情報が格納されてもよい。また、図２に示す部品情報がすべて格納されていなくてもよい。同一の部品であっても地域、仕入れ先等によって情報が異なる場合等は、地域、仕入れ先等の情報を基礎情報に付加した表とし、同一の部品が複数行に存在するようにしてもよい。また、基礎情報、保守情報等をそれぞれ別の表として保持し、適宜結合する形式としてもよい。
【００１５】
図２は、部品情報が、号機ＩＤ、部品ＩＤ、部品種別、部品金額、リードタイム、損失金額、経年数、保守日時、および故障日時等から構成される例を示したものである。
【００１６】
データ入力部１０２は、部品情報格納部１０１に格納された部品情報から、指標算出部１０３での処理の実行に必要な部品情報を取得し、処理可能な形式に整形した整形データを生成する。図３は、データ入力部１０２が生成した整形データの一例を示す図である。整形データは、必要なデータが格納されていれば、データの形式は問わない。
【００１７】
図３は、号機ＩＤがＸ１である部品の部品金額を、部品単位で集約したものである。データ入力部１０２は、Ｘ１の部品ＩＤおよび部品金額を部品情報格納部１０１から取得し、整形データを生成している。データ入力部１０２は、生成した整形データを、指標算出部１０３に出力する。なお、例えば、号機ごとに部品ＩＤが異なる場合等、整形データを生成する必要がない場合、データ入力部１０２は、指標算出部１０３での処理の実行に必要な部品情報を取得して、指標算出部１０３に出力する。
【００１８】
指標算出部１０３は、データ入力部１０２から取得した整形データまたは部品情報に基づき、部品の保守または在庫確保の優先度である優先度指標を算出する。
図４は、指標算出部１０３が優先度指標を算出するフローチャートの一例である。指標算出部１０３は、図４に示した処理の中から必要に応じて処理を選択してもよい。また、必要に応じて任意の処理を追加してもよい。
【００１９】
図４を用いて指標算出部１０３の動作について説明する。
指標算出部１０３は、故障率を算出する部品情報があるか判定する（ステップＳＴ４０１）。指標算出部１０３は、故障率を算出する部品情報があると判定した場合（ステップＳＴ４０１：ＹＥＳ）、故障率算出処理を行う（ステップＳＴ４０２）。一方、指標算出部１０３は、故障率を算出する部品情報がないと判定した場合（ステップＳＴ４０１：ＮＯ）、ステップＳＴ４０３の処理に進む。
【００２０】
ここで、故障率算出処理（ステップＳＴ４０２）について説明する。
故障率算出処理は、優先度指標の算出に、部品の故障率を用いると判定された場合に実施する処理である。故障率の算出は任意の方法でよい。例えば、当該部品の経年数に応じた故障が発生する確率を故障率とする。この場合、市場で使用中の各部品の故障履歴から、同種部品ごとに経年と累積故障発生数の関係を算出する。そして、累積故障発生数を同種部品の個数で割ることで、経年に対する故障率推移を求め、当該部品の経年数に対応する故障率を採用する。また、例えば、部品の状態を計測した値から故障の進行度合いを推定し、当該故障の進行度合いを故障率としてもよい。故障の進行度合いを推定する方法は、一般的な手法を用いればよい。
また、部品情報格納部１０１に故障率が格納されている場合、データ入力部１０２は、部品情報格納部１０１から故障率を取得し、当該故障率を指標算出部１０３に出力してもよい。また、指標算出部１０３で算出した故障率を、部品情報格納部１０１、または別途用意するデータ格納部に格納し、ステップＳＴ４０３以降の処理に利用するようにしても構わない。故障率算出処理（ステップＳＴ４０２）が終わると、ステップＳＴ４０３の処理に進む。
【００２１】
次に、指標算出部１０３は、変換処理を実施する部品情報があるか否かを判定する（ステップＳＴ４０３）。指標算出部１０３は、変換処理を実施する部品情報があると判定した場合（ステップＳＴ４０３：ＹＥＳ）、変換処理を行う（ステップＳＴ４０４）。一方、指標算出部１０３は、変換処理を実施する部品情報がないと判定した場合（ステップＳＴ４０３：ＮＯ）、ステップＳＴ４０５の処理に進む。
【００２２】
ここで、変換処理（ステップＳＴ４０４）について説明する。
変換処理は、優先度指標を算出するに当たり、部品情報のスケールを変換する必要があると判定された場合に実施する処理である。例えば、部品情報の中に部品の状態の計測値があり、部品ごとの音の強さを優先度指標の算出に用いる場合、当該部品の状態の計測値をデシベルに変換する。部品情報のスケールを変換する必要がない場合は、変換処理は省略することができる。変換処理（ステップＳＴ４０４）が終わると、ステップＳＴ４０５の処理に進む。
【００２３】
次に、指標算出部１０３は、平均算出を実施する部品情報があるか否かを判定する（ステップＳＴ４０５）。指標算出部１０３は、平均算出を実施する部品情報があると判定した場合（ステップＳＴ４０５：ＹＥＳ）、平均算出処理を行う（ステップＳＴ４０６）。一方、指標算出部１０３は、平均算出を実施する部品情報がないと判定した場合（ステップＳＴ４０５：ＮＯ）、ステップＳＴ４０７の処理に進む。
【００２４】
ここで、平均算出処理（ステップＳＴ４０６）について説明する。
平均算出処理は、優先度指標を算出するに当たり、部品情報の値の平均値を求める必要があると判定された場合に実施する処理である。同一部品の特定の部品情報に、複数の値が存在する場合、当該複数の値の平均値を算出する。
例えば、地域によって値段が異なる等の理由で、同一部品の部品金額に複数の値段が存在する場合、当該複数の値段の平均値を算出する。平均値を算出する必要がない場合は、平均算出処理は省略することができる。なお、例えば、地域ごとの部品金額をそのまま利用する場合は、同一部品であっても地域ごとに別部品として扱う等の対応をすればよい。平均値の算出には、中央値を算出する方法、または、他の平均値を算出する方法を用いればよい。平均算出処理（ステップＳＴ４０６）が終わると、ステップＳＴ４０７の処理に進む。
【００２５】
次に、指標算出部１０３は、近似処理を実施する部品情報があるか否かを判定する（ステップＳＴ４０７）。指標算出部１０３は、近似処理を実施する部品情報があると判定した場合（ステップＳＴ４０７：ＹＥＳ）、近似処理を行う（ステップＳＴ４０８）。一方、指標算出部１０３は、近似処理を実施する部品情報がないと判定した場合（ステップＳＴ４０７：ＮＯ）、ステップＳＴ４０９の処理に進む。
【００２６】
ここで、近似処理（ステップＳＴ４０８）について説明する。
近似処理は、優先度指標を算出するに当たり、部品情報の値を、予め定めた有限個の値レベルのうち、最も近いレベルに近似する必要があると判定された場合に実施する処理である。例えば、０から１０００の整数値を取る部品情報の場合、十の位を四捨五入して百の位に近似する。例えば、部品情報の値が１８０であり、予め定めた有限個の値レベルが０、１００、２００、…、１０００である場合、部品情報の値は２００に近似される。部品情報の値を近似する必要がない場合は、近似処理を省略することができる。近似処理（ステップＳＴ４０８）が終わると、ステップＳＴ４０９の処理に進む。
【００２７】
次に、指標算出部１０３は、優先度指標算出処理を行う（ステップＳＴ４０９）。
ここで、優先度指標算出処理（ステップＳＴ４０９）について説明する。
優先度指標算出処理は、特定の部品情報について部品ごとに平均に対する倍数を算出し、当該倍数を優先度指標とする処理である。例えば、部品ＩＤが、ＡＡ１、ＡＡ２、ＡＡ３、ＡＡ４、ＡＡ５である５つの部品について、特定の部品情報の値が、３０、４０、５０、６０、７０である場合、（３０＋４０＋５０＋６０＋７０）／５の式で平均５０を算出し、５つの部品の部品情報の値を平均の５０で除算することで、ＡＡ１、ＡＡ２、ＡＡ３、ＡＡ４、ＡＡ５の優先度指標として、０．６、０．８、１．０、１．２、１．４を得る。なお、優先度指標を算出する部品を限定してもよい。例えば、同じ部品種別の部品がある場合には、当該部品種別の部品の中から１つの部品を選択し、上記方法で優先度指標を算出する。
また、部品情報の値が大きい部品の優先度を低くする場合は、優先度指標算出の前に、部品情報の符号をプラスからマイナスに反転し、優先度指標を算出すればよい。また、部品情報が文字等であって数値でない場合、数値ではあるが質的データであり、数値の大きさに意味がない場合等は、優先度指標算出処理は省略する。例えば、部品情報である部品種別がＡＡ、ＢＢ等のように文字であった場合は、優先度指標算出処理は行わない。指標算出部１０３は、算出した優先度指標を、出力情報制御部１０４に出力する。
【００２８】
出力情報制御部１０４は、指標算出部１０３から取得した優先度指標を用いて、部品傾向情報を生成する。部品傾向情報は、既述のとおり、部品の保守または在庫確保の優先度を、部品ごとに比較できる態様で示す情報である。部品傾向情報は、優先度指標を示す表、または優先度指標グラフとして生成される。出力情報制御部１０４は、部品傾向情報を表示装置２００に出力する。表示装置２００は、例えば、液晶ディスプレイである。
【００２９】
図５は、優先度指標を示す表の一例を示す図である。
図６は、優先度指標グラフの一例を示す図である。
出力情報制御部１０４は、例えば、ユーザからの表示命令を受け付けた場合に、部品傾向情報を生成し、表示装置２００に出力する。また、指標算出部１０３による処理の後に出力情報制御部１０４が処理を行う等、指標算出部１０３による処理の後であれば、出力情報制御部１０４が処理を行うタイミングは、任意のタイミングでよい。
【００３０】
図５は、出力情報制御部１０４が、各号機、部品ごとの優先度指標を１つの表にまとめた例を示す図である。なお、出力情報制御部１０４は、指標算出部１０３が優先度指標を算出した際における部品情報の値と、算出した優先度指標の値とをそれぞれ対応させ、表形式にまとめてもよい。その場合、出力情報制御部１０４は、部品情報の値と、部品情報の優先度指標とを対応させた表を、部品情報の項目分作成する。
【００３１】
図６は、出力情報制御部１０４が、図５における故障率の優先度指標を用いて、優先度指標グラフを生成した例を示す図である。各点の横には、号機ＩＤおよび部品ＩＤを組み合わせた文字列を表示している。当該表示は当該文字列に限定されるものではなく、例えば、記号等で表示してもよい。また、特定の部品のみ当該文字列等を表示するようにしてもよい。図５では、４つの部品について、故障率に基づき算出された優先度指標が示されているが、当該優先度指標は、その他の部品の故障率にも基づいて算出されている。
図６では、横軸が故障率の高低を表している。横軸を対数表示とし、中央が平均と同程度の１となるようにしている。図６の場合、右側ほど優先度が高いこととなる。なお、横軸は対数表示としなくてもよい。縦軸は、故障率の優先度指標の値が大きい部品を、故障率の優先度指標の値が小さい部品に対して上側に表示しているが、これに限定されるものではなく、任意とすればよい。図６では、縦軸方向に対して、各部品の文字列が重ならないようにずらした配置としているが、優先度指標の値が同一の部品は、縦軸方向に対する位置を揃えて表示してもよい。また、表示する部品数が多い場合等には、表示する部品数を一定数に制限してもよい。
【００３２】
以上のように、実施の形態１に係る部品傾向情報制御装置１００は、機器に使用される部品の部品情報を格納する部品情報格納部１０１と、部品情報に基づき、部品の保守または在庫確保の優先度である優先度指標を算出する指標算出部１０３と、優先度指標を用いて、部品の保守または在庫確保の優先度を、部品ごとに比較できる態様で示す部品傾向情報を生成し、出力する出力情報制御部１０４とを備える。これにより、部品の保守または在庫確保の優先度を部品ごとに比較し、適切な処置を取ることができる。例えば、部品金額、故障率等を部品ごとに比較した場合の優先度の高低を把握することができ、部品金額が高い部品の在庫を圧縮する、または、故障率が高い部品の保守を高頻度に実施する等の判断をすることができる。
【００３３】
また、出力情報制御部１０４は、１つの優先度指標を横軸とする優先度指標グラフを生成し、当該横軸を対数表示とする。これにより、故障率に基づき算出された優先度指標が、平均の２倍、２分の１倍である等、平均に対する大小の度合いを直観的に把握することができる。
【００３４】
実施の形態２．
実施の形態２に係る部品傾向情報制御装置１００について、実施の形態１で説明した構成と同一または相当する機能を有する構成については、その説明を省略または簡略化する。図６では、出力情報制御部１０４が、１つの部品情報である故障率の優先度指標を用いて優先度指標グラフを生成する例を示した。実施の形態２では、出力情報制御部１０４が、２つの部品情報の優先度指標を用いて、優先度指標グラフを生成する。
図７は、出力情報制御部１０４が生成した優先度指標グラフの一例である。図７は、出力情報制御部１０４が、２つの部品情報の優先度指標を用いて優先度指標グラフを生成した例である。図７の優先度指標グラフは、図５における故障率の優先度指標を横軸とし、図５における部品金額の優先度指標を縦軸とした例である。図５では、４つの部品について、故障率および部品金額に基づき算出された優先度指標が示されているが、当該優先度指標は、その他の部品の故障率および部品金額にも基づいて算出されている。図７では、各点の横に、号機ＩＤおよび部品ＩＤを組み合わせた文字列を表示している。当該表示は当該文字列に限定されるものではなく、例えば、記号等で表示してもよい。また、特定の部品のみ当該文字列等を表示するようにしてもよい。
横軸は故障率の高低を表しており、対数表示にすることで中央が平均と同程度である１となるようにしている。縦軸は部品金額の高低を表しており、対数表示にすることで中央が平均と同程度である１となるようにしている。なお、横軸および縦軸は対数表示としなくてもよい。また、表示する部品数が多い場合等には、表示する部品数を一定数に制限してもよい。
【００３５】
以上のように、実施の形態２によれば、例えば、部品金額と故障率の２つの優先度指標について、部品ごとの優先度指標の高低を同時に把握することができる。これにより、故障率が高く、かつ部品金額が高い部品の保守を高頻度に実施する等の判断をすることができる。
【００３６】
また、出力情報制御部１０４は、一方の優先度指標を横軸とし、他方の優先度指標を縦軸とする優先度指標グラフを生成し、横軸および縦軸を対数表示とする。これにより、例えば、故障率および部品金額に基づき算出された優先度指標が、平均の２倍、２分の１倍である等、平均に対する大小の度合いを直観的に把握することができる。
【００３７】
実施の形態３．
実施の形態３に係る部品傾向情報制御装置１００について、実施の形態１および実施の形態２で説明した構成と同一または相当する機能を有する構成については、その説明を省略または簡略化する。
実施の形態２では、ＡＡ１という同じ部品ＩＤであっても、号機が異なる場合には、それぞれの部品の優先度指標を算出するものとした。実施の形態３では、号機間に同じ部品ＩＤの部品がある場合、当該部品の特定の部品情報の値について図４で示した平均算出処理を行い、部品情報の値の平均値を用いて優先度指標を算出する。
【００３８】
指標算出部１０３は、号機間で共通する部品ＩＤがある場合、当該部品ＩＤの特定の部品情報の値について平均算出処理を行い、部品情報の値の平均値を算出する。その場合、指標算出部１０３は、当該部品情報の値の平均値を用いて優先度指標（第１の優先度指標とする）を算出する。
【００３９】
図８は、出力情報制御部１０４が生成した優先度指標グラフの一例である。図８の優先度指標グラフは、故障率の優先度指標を横軸とし、部品金額の優先度指標を縦軸とした例である。図８は、ＡＡ１、ＡＡ２、ＢＢ１という部品ＩＤの部品が、号機間で共通している場合を示している。図８では、ＡＡ１、ＡＡ２、ＢＢ１の故障率および部品金額について、それぞれ平均算出処理を行い、第１の優先度指標を算出している。ＡＡ１、ＡＡ２、ＢＢ１の故障率および部品金額には、それぞれ複数の値があるものとする。図８の横軸および縦軸は、第１の優先度指標の大小を示している。各部品を示す格子点に部品名を表示してもよい。また、図８では、第１の優先度指標を２つ用いるものとしたが、いずれか１つを用いてもよい。部品ＩＤの表示は、文字列に限定されるものではなく、例えば、記号等で表示してもよい。また、特定の部品のみ、当該文字列等を表示するようにしてもよい。
【００４０】
横軸は故障率の高低を表しており、対数表示とすることで中央が平均と同程度である１となるようにしている。縦軸は部品金額の高低を表しており、対数表示とすることで中央が平均と同程度である１となるようにしている。横軸および縦軸は対数表示としなくてもよい。また、表示する部品数が多い場合等には、表示する部品数を一定数に制限してもよい。
【００４１】
以上のように、実施の形態３では、指標算出部１０３は、号機間で共通する部品がある場合、当該部品の特定の部品情報の値について平均値を算出するとともに、平均値を用いて第１の優先度指標を算出し、出力情報制御部１０４は、第１の優先度指標を用いて部品傾向情報を生成する。これにより、号機に関わらず部品のみに着目する場合に、各部品の優先度指標の高低を比較し、適切な措置を取ることができる。
【００４２】
実施の形態４．
実施の形態４に係る部品傾向情報制御装置１００について、実施の形態１、実施の形態２、および実施の形態３で説明した構成と同一または相当する機能を有する構成については、その説明を省略または簡略化する。実施の形態３では、号機間で共通する部品ＩＤがある場合、当該部品ＩＤの特定の部品情報の値について平均算出処理を行い、第１の優先度指標を算出するものとした。実施の形態４では、さらに、指標算出部１０３が、当該部品ＩＤの特定の部品情報の値について、平均算出処理を行う前の各部品情報の値の優先度指標（第２の優先度指標とする）を算出する。
【００４３】
指標算出部１０３は、号機間で共通する部品ＩＤがある場合、当該部品ＩＤの特定の部品情報の値について平均算出処理を行い、部品情報の値の平均値を算出し、当該平均値を用いて第１の優先度指標を算出するとともに、当該部品ＩＤの特定の部品情報の値のそれぞれを用いて第２の優先度指標を算出する。出力情報制御部１０４は、第１の優先度指標と第２の優先度指標とを重畳表示する、優先度指標グラフを生成する。
【００４４】
図９は、出力情報制御部１０４が生成した優先度指標グラフの一例である。図９の優先度指標グラフは、故障率の優先度指標を横軸とし、部品金額の優先度指標を縦軸とした例である。図９における実線は、号機間で共通するＡＡ１、ＡＡ２、ＢＢ１の故障率および部品金額の平均値を算出し、当該平均値を用いて算出した第１の優先度指標を示している。図９における点は、号機間で共通するＡＡ１、ＡＡ２、ＢＢ１の故障率および部品金額の値のそれぞれを用いて算出した第２の優先度指標を示している。なお、図９では、すべての第２の優先度指標を表示せずに、特定の第２の優先度指標のみ点表示している。
【００４５】
各部品を示す格子点に部品名を表示してもよい。図９では、各点の横に号機ＩＤおよび部品ＩＤを組み合わせた文字列を表示している。当該表示は当該文字列に限定されるものではなく、例えば、記号等で表示してもよい。また、特定の部品のみ当該文字列等を表示するようにしてもよい。
【００４６】
横軸は故障率の高低を表しており、対数表示とすることで中央が平均と同程度である１となるようにしている。縦軸は部品金額の高低を表しており、対数表示とすることで中央が平均と同程度である１となるようにしている。横軸および縦軸は対数表示でなくてもよい。表示する部品数が多い場合等には、表示する部品数を一定数に制限してもよい。
【００４７】
以上のように、実施の形態４では、実施の形態３の構成に加え、指標算出部１０３は、号機間で共通する部品がある場合、当該部品の特定の部品情報の値のそれぞれを用いて優先度指標を算出し、出力情報制御部１０４は、第２の優先度指標と、平均値を用いて算出した第１の優先度指標とを重畳表示する、部品傾向情報を生成する。このため、部品単位で平均化された部品情報を用いて算出された第１の優先度指標と、当該平均化を行う前の部品情報の値を用いて算出された第２の優先度指標との差を把握することができる。これにより、例えば、第１の優先度指標と第２の優先度指標との差が大きい部品の保守を優先的に実施する等の対応が可能となる。
【００４８】
次に、部品傾向情報制御装置１００のハードウェア構成例を説明する。
図１０は、部品傾向情報制御装置１００のハードウェア構成例を示す図である。
部品傾向情報制御装置１００における通信部１０５は、送信Ｉ／Ｆ装置１００３である。部品傾向情報制御装置１００における部品情報格納部１０１は、ストレージ１００４である。
部品傾向情報制御装置１００におけるデータ入力部１０２、指標算出部１０３、および出力情報制御部１０４の各機能は、処理回路により実現される。即ち、部品傾向情報制御装置１００は、上記各機能を実現するための処理回路を備える。処理回路は、メモリ１００２に格納されるプログラムを実行するプロセッサ１００１である。
【００４９】
図１０に示すように、処理回路がプロセッサ１００１である場合、データ入力部１０２、指標算出部１０３、および出力情報制御部１０４の各機能は、ソフトウェア、ファームウェア、またはソフトウェアとファームウェアとの組み合わせにより実現される。ソフトウェアまたはファームウェアはプログラムとして記述され、メモリ１００２に格納される。プロセッサ１００１は、メモリ１００２に格納されたプログラムを読み出して実行することにより、各部の機能を実現する。即ち、部品傾向情報制御装置１００は、プロセッサ１００１により実行されるときに、図４のフローチャートで示されるステップが結果的に実行されることになるプログラムを格納するためのメモリ１００２を備える。また、このプログラムは、データ入力部１０２、指標算出部１０３、および出力情報制御部１０４の手順または方法をコンピュータに実行させるものであるとも言える。
【００５０】
ここで、プロセッサ１００１とは、ＣＰＵ（Ｃｅｎｔｒａｌ  Ｐｒｏｃｅｓｓｉｎｇ  Ｕｎｉｔ）、処理装置、演算装置、マイクロプロセッサ、またはマイクロコンピュータ等のことである。
メモリ１００２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、またはフラッシュメモリ等の不揮発性もしくは揮発性の半導体メモリであってもよいし、ハードディスクまたはフレキシブルディスク等の磁気ディスクであってもよいし、ＣＤ（Ｃｏｍｐａｃｔ  Ｄｉｓｃ）またはＤＶＤ（Ｄｉｇｉｔａｌ  Ｖｅｒｓａｔｉｌｅ  Ｄｉｓｃ）等の光ディスクであってもよい。
【００５１】
なお、データ入力部１０２、指標算出部１０３、および出力情報制御部１０４の各機能について、一部を専用のハードウェアで実現し、一部をソフトウェアまたはファームウェアで実現するようにしてもよい。このように、部品傾向情報制御装置１００における処理回路は、ハードウェア、ソフトウェア、ファームウェア、またはこれらの組み合わせによって、上述の各機能を実現できる。
【００５２】
実施の形態５．
実施の形態５では、部品傾向情報制御装置１００と、ネットワークを介して通信可能に構成された、保守端末１０７の表示制御装置３００について説明する。
図１１は、実施の形態５に係る保守端末１０７の表示制御装置３００およびその周辺の構成の一例を示す図である。以下、図１と同一の構成については、図１と同一の符号を付し、重複する説明を省略する。
【００５３】
図１１に示すように、保守端末１０７の表示制御装置３００は、通信部３０１、部品情報取得部３０２、および表示制御部３０３等を備える。
通信部３０１は、ネットワークを介して、部品傾向情報制御装置１００の通信部１０５との間で情報を送受信する。部品情報取得部３０２は、機器に使用される部品の部品情報を取得し、通信部３０１に出力する。通信部３０１は、当該部品情報を、部品傾向情報制御装置１００に送信する。表示制御部３０３は、表示部１０７ａに表示される情報を制御する。表示部１０７ａは、例えば、液晶ディスプレイである。表示制御部３０３は、部品傾向情報制御装置１００から取得した部品傾向情報を、保守端末１０７の表示部１０７ａに表示する。
【００５４】
実施の形態５における保守端末１０７の表示制御装置３００は、部品傾向情報を、保守端末１０７の表示部１０７ａに表示する。これにより、部品の保守または在庫確保の優先度を部品ごとに比較し、適切な処置を取ることができる。
【００５５】
なお、本発明はその発明の範囲内において、各実施の形態の自由な組み合わせ、各実施の形態の任意の構成要素の変形、または各実施の形態の任意の構成要素の省略が可能である。
【産業上の利用可能性】
【００５６】
この発明に係る部品傾向情報制御装置は、部品の保守または在庫確保の優先度を部品ごとに比較し、適切な処置を取ることを可能にするため、部品の保守または在庫確保が必要な機器に用いるのに適している。
【符号の説明】
【００５７】
１００  部品傾向情報制御装置、１０１  部品情報格納部、１０２  データ入力部、１０３  指標算出部、１０４  出力情報制御部、１０５  通信部、１０６  管理サーバ、１０７  保守端末、１０７ａ  表示部、１０８  監視サーバ、２００  表示装置、３００  表示制御装置、３０１  通信部、３０２  部品情報取得部、３０３  表示制御部。
【図１】
2019102555.tif 000003
【図２】
2019102555.tif 000004
【図３】
2019102555.tif 000005
【図４】
2019102555.tif 000006
【図５】
2019102555.tif 000007
【図６】
2019102555.tif 000008
【図７】
2019102555.tif 000009
【図８】
2019102555.tif 000010
【図９】
2019102555.tif 000011
【図１０】
2019102555.tif 000012
【図１１】
2019102555.tif 000013
【手続補正書】
【提出日】令和1年12月4日(2019.12.4)
【手続補正１】
【補正対象書類名】明細書
【補正対象項目名】０００７
【補正方法】変更
【補正の内容】
【０００７】
この発明に係る部品傾向情報制御装置は、機器に使用される部品の部品情報を格納する部品情報格納部と、部品情報に基づき、部品の保守または在庫確保の優先度である優先度指標を算出する指標算出部と、優先度指標を用いて、部品の保守または在庫確保の優先度を、部品ごとに比較できる態様で示す部品傾向情報を生成し、出力する出力情報制御部とを備える。指標算出部は、号機間で共通する部品がある場合、当該部品の特定の部品情報の値について平均値を算出するとともに、平均値を用いて第１の優先度指標を算出し、出力情報制御部は、第１の優先度指標を用いて部品傾向情報を生成する。
【手続補正２】
【補正対象書類名】明細書
【補正対象項目名】００４８
【補正方法】変更
【補正の内容】
【００４８】
次に、部品傾向情報制御装置１００のハードウェア構成例を説明する。
図１０は、部品傾向情報制御装置１００のハードウェア構成例を示す図である。
部品傾向情報制御装置１００における通信部１０５は、通信Ｉ／Ｆ装置１００３である。部品傾向情報制御装置１００における部品情報格納部１０１は、ストレージ１００４である。
部品傾向情報制御装置１００におけるデータ入力部１０２、指標算出部１０３、および出力情報制御部１０４の各機能は、処理回路により実現される。即ち、部品傾向情報制御装置１００は、上記各機能を実現するための処理回路を備える。処理回路は、メモリ１００２に格納されるプログラムを実行するプロセッサ１００１である。
【手続補正３】
【補正対象書類名】特許請求の範囲
【補正対象項目名】全文
【補正方法】変更
【補正の内容】
【特許請求の範囲】
【請求項１】
機器に使用される部品の部品情報を格納する部品情報格納部と、
前記部品情報に基づき、部品の保守または在庫確保の優先度である優先度指標を算出する指標算出部と、
前記優先度指標を用いて、部品の保守または在庫確保の優先度を、部品ごとに比較できる態様で示す部品傾向情報を生成し、出力する出力情報制御部とを備え、
前記指標算出部は、号機間で共通する部品がある場合、当該部品の特定の部品情報の値について平均値を算出するとともに、前記平均値を用いて第１の優先度指標を算出し、
前記出力情報制御部は、前記第１の優先度指標を用いて前記部品傾向情報を生成することを特徴とする部品傾向情報制御装置。
【請求項２】
前記出力情報制御部は、前記第１の優先度指標を用いて優先度指標グラフを生成し、前記第１の優先度指標の大小を示す軸を対数表示とすることを特徴とする請求項１記載の部品傾向情報制御装置。
【請求項３】
前記指標算出部は、前記特定の部品情報の値のそれぞれを用いて第２の優先度指標を算出し、
前記出力情報制御部は、前記第２の優先度指標と、前記平均値を用いて算出した前記第１の優先度指標とを重畳表示することを特徴とする請求項１記載の部品傾向情報制御装置。
【請求項４】
前記出力情報制御部は、前記第１の優先度指標を実線で表示するとともに、前記第２の優先度指標を点で表示する優先度指標グラフを生成し、前記第１の優先度指標の大小を示す軸および前記第２の優先度指標の大小を示す軸をそれぞれ対数表示とすることを特徴とする請求項３記載の部品傾向情報制御装置。
【請求項５】
前記部品情報は、基礎情報および保守情報を含み、
前記基礎情報には、機器を構成する部品の部品種別、当該部品の部品金額、当該部品を手配するリードタイムの長さ、および当該部品が故障した場合のダウンタイムによる損失金額が含まれ、
前記保守情報には、当該部品の故障履歴、当該部品の経年数、当該部品の使用回数、および当該部品の状態を計測した値が含まれることを特徴とする請求項１から請求項４のうちいずれか１項に記載の部品傾向情報制御装置。
【請求項６】
指標算出部が、部品情報格納部に格納されている、機器に使用される部品の部品情報に基づき、部品の保守または在庫確保の優先度である優先度指標を算出するステップと、
出力情報制御部が、前記優先度指標を用いて、部品の保守または在庫確保の優先度を、部品毎に比較できる態様で示す部品傾向情報を生成し、出力するステップとを備え、
前記指標算出部は、号機間で共通する部品がある場合、当該部品の特定の部品情報の値について平均値を算出するとともに、前記平均値を用いて第１の優先度指標を算出し、
前記出力情報制御部は、前記第１の優先度指標を用いて前記部品傾向情報を生成することを特徴とする部品傾向情報制御方法。
【請求項７】
保守端末の表示部に表示される情報を制御する保守端末の表示制御装置であって、
機器に使用される部品の部品情報を、請求項１から請求項５のうちのいずれか１項記載の部品傾向情報制御装置に送信する通信部と、
前記通信部を介して、前記部品傾向情報制御装置から受信した部品傾向情報を前記表示部に表示する表示制御部とを備える保守端末の表示制御装置。
【国際調査報告】
2019102555.tif 000014
2019102555.tif 000015
2019102555.tif 000016
2019102555.tif 000017